(57)【要約】【課題】取付構造が異なっても同一の構造とすることを可能とする。【解決手段】軸流ファンモータの本体部２の両側に四角い形状の固定用フランジ３，４を取り付け、各固定用フランジ３，４の４隅のうちの隣り合う２箇所において固定用フランジ３，４間にスペーサ６を取り付けてリブフランジ構造とするとともに、他の２箇所においては固定用フランジ３，４間にスペーサ６を設けないでオープンフランジ構造とした。【選択図】図１
2008169716.tif 000002
【特許請求の範囲】
【請求項１】
軸流ファンモータの本体部の両側に四角い形状の固定用フランジを取り付け、各固定用フランジの４隅のうちの隣り合う２箇所において固定用フランジ間にスペーサを取り付けてリブフランジ構造とするとともに、他の２箇所においては固定用フランジ間にスペーサを設けないでオープンフランジ構造としたことを特徴とする軸流ファンモータ。
【請求項２】
軸流ファンモータの本体部の両側に四角い形状の固定用フランジを取り付け、各固定用フランジの４隅のうちの対角位置の２箇所において固定用フランジ間にスペーサを取り付けてリブフランジ構造とするとともに、他の２箇所においては固定用フランジ間にスペーサを設けないでオープンフランジ構造とし、かつ各固定用フランジのオープンフランジ構造部分では一方の側の隅部を除去したことを特徴とする軸流ファンモータ。
【発明の詳細な説明】
【技術分野】
【０００１】
この発明は、軸流ファンモータに関するものである。
【背景技術】
【０００２】
図４（ａ），（ｂ）は従来の軸流ファンモータの斜視図を示し、そのフランジ構造にはオープンフランジ構造のものとリブフランジ構造のものとがある。即ち、図４（ａ）はオープンフランジ構造の軸流ファンモータ１の斜視図を示し、軸流ファンモータ１の本体部２の両側に樹脂等からなる四角い形状の固定用フランジ３，４を取り付けたものである。又、図４（ｂ）はリブフランジ構造の軸流ファンモータ５の斜視図を示し、本体部２の両側に四角い形状の固定用フランジ３，４を取り付け、かつ固定用フランジ３，４間の４隅に筒状のスペーサ６を取り付けたものである。そして、オープンフランジ構造の軸流ファンモータ１は、図５（ａ）に示すように、その片側の固定用フランジ３を電子機器等の取付板７のねじ孔７ａにねじ８により締結し、本体部２を取付板７の奥側に配置させるような場合に採用される。又、リブフランジ構造の軸流ファンモータ５は、図５（ｂ）に示すように、ねじ９を固定用フランジ３、スペーサ６及び固定用フランジ４に貫通させ、電子機器等の取付板７のねじ孔７ａに締め付けるような場合、即ち軸流ファンモータ５の全体にねじ９を貫通させ、軸流ファンモータ５の全体を取付板７の外側に取り付けるような場合に採用される。
【０００３】
なお、この出願の発明に関連する先行技術文献情報としては次のものがある。
【特許文献１】特開平５−１６４０８９号公報
【特許文献２】特開２００３−２６９３９５号公報
【特許文献３】特開２００３−３５２９９号公報
【発明の開示】
【発明が解決しようとする課題】
【０００４】
しかしながら、図４（ｂ）に示したリブフランジ構造の軸流ファンモータ５をその本体部２が図５（ａ）のように取付板７の奥側に位置するように取り付けようとすると、スペーサ６が邪魔になり、取り付けることができなかった。一方、図４（ａ）に示したオープンフランジ構造の軸流ファンモータ１を図５（ｂ）に示すようにその全体が取付板７の外側に位置するように取り付けることは可能であるが、固定用フランジ３，４の間にスペーサ６を挿入しないと、固定用フランジ３が変形するおそれがあるので、スペーサ６を挿入する必要があり、取付、取外し時にスペーサ６が脱落しないように留意する必要があって、容易ではなかった。従って、性能が全く同じ軸流ファンモータであっても、オープンフランジ構造のものとリブフランジ構造のものとの２種類を用意し、使い分けしなければならなかった。
【０００５】
この発明は上記のような課題を解決するために成されたものであり、取付構造が異なる場合であってもフランジ構造を同じにすることができ、２種類の構造のものを用意する必要がない軸流ファンモータを得ることを目的とする。
【課題を解決するための手段】
【０００６】
この発明の請求項１に係る軸流ファンモータは、軸流ファンモータの本体部の両側に四角い形状の固定用フランジを取り付け、各固定用フランジの４隅のうちの隣り合う２箇所において固定用フランジ間にスペーサを取り付けてリブフランジ構造とするとともに、他の２箇所においては固定用フランジ間にスペーサを設けないでオープンフランジ構造としたものである。
【０００７】
又、請求項２に係る軸流ファンモータは、軸流ファンモータの本体部の両側に四角い形状の固定用フランジを取り付け、各固定用フランジの４隅のうちの対角位置の２箇所において固定用フランジ間にスペーサを取り付けてリブフランジ構造とするとともに、他の２箇所においては固定用フランジ間にスペーサを設けないでオープンフランジ構造とし、かつ各固定用フランジのオープンフランジ構造部分では一方の側の隅部を除去したものである。
【発明の効果】
【０００８】
以上のようにこの発明の請求項１によれば、軸流ファンモータの各固定用フランジの４隅のうちの隣り合う２箇所をリブフランジ構造とするとともに、他の２箇所をオープンフランジ構造としており、本体部を取付板の内側に入れて取り付ける場合も、本体部を取付板の外側にして取り付ける場合も容易に対応することができ、構造を１種類にすることができる。
【０００９】
又、請求項２によれば、軸流ファンモータの各固定用フランジの４隅のうちの対角位置の２箇所をリブフランジ構造とするとともに、他の２箇所をオープンフランジ構造とし、かつ各固定用フランジのオープンフランジ構造部分では一方の側の隅部を除去しており、本体部を取付板の内側に入れて取り付ける場合も、本体部を取付板の外側にして取り付ける場合も容易に対応することができ、構造を１種類にすることができる。
【発明を実施するための最良の形態】
【００１０】
実施最良形態１
以下、この発明を実施するための最良の形態を図面とともに説明する。図１はこの発明の実施最良形態１による軸流ファンモータの斜視図を示し、本体部２の両側に樹脂等からなる四角い形状の固定用フランジ３，４を取り付け、各固定用フランジ３，４の４隅のうちの隣り合う２箇所において固定用フランジ３，４間にスペーサ６を取り付けてリブフランジ構造とするとともに、他の２箇所においては固定用フランジ３，４間にスペーサを設けないでオープンフランジ構造とする。
【００１１】
上記構成の軸流ファンモータを図５（ｂ）に示すように取付板７の外側に取り付ける場合には、リブフランジ構造部分で固定用フランジ３、スペーサ６及び固定用フランジ４に挿通したねじを取付板７のねじ孔７ａに締め付ける。このようにすれば、スペーサ６が脱落する心配がなく、またオープンフランジ構造部分はねじにより取り付けないので、固定用フランジ３の変形の心配もない。一方、図５（ａ）に示すように本体部２を取付板７の奥側に取り付ける場合には、オープンフランジ構造部分で固定用フランジ３に挿通したねじを取付板７のねじ孔７ａに締め付けるとともに、リブフランジ部分では取付板７側に溝等の若干の変形を施し、取付板７を挿通させる。
【００１２】
実施最良形態１においては、軸流ファンモータを取付板７の外側に取り付ける場合には、リブフランジ構造部分を用いて取付板７に取り付け、本体部２を取付板７の奥側に取り付ける場合には、オープンフランジ構造部分を用いて取付板７に取り付けており、いずれの取付構造の場合にも同一のフランジ構造により対応することができ、２種類の構造のものを用意する必要がない。又、実施最良形態１の軸流ファンモータは比較的小形の軸流ファンモータに適用することができ、取付板７側にもあまり複雑な加工を必要としない。
【００１３】
実施最良形態２
図２はこの発明の実施最良形態２による軸流ファンモータの斜視図を示し、本体部２の両側に樹脂等からなる四角い形状の固定用フランジ３，１０を取り付け、各固定用フランジ３，１０の４隅のうちの対角位置の２箇所において固定用フランジ３，１０間にスペーサ６を取り付けてリブフランジ構造とするとともに、他の２箇所においては固定用フランジ３，１０間にスペーサを設けないでオープンフランジ構造とする。又、各固定用フランジ３，１０のオープンフランジ構造部分では一方の側、ここでは固定用フランジ１０の隅部を除去する。
【００１４】
上記構成の軸流ファンモータを図５（ｂ）に示すように取付板７の外側に取り付ける場合には、リブフランジ構造部分で固定用フランジ３、スペーサ６及び固定用フランジ１０に挿通したねじを取付板７のねじ孔７ａに締め付ける。あるいは、固定用フランジ３を内側にしてリブフランジ構造部分だけでなく、オープンフランジ構造部分でもねじにより取付板７の外側に取り付けてもよく、オープンフランジ構造部分だけの取付でもよい。また、取付板７に代わって取付板１１を用いても良い。このようにすれば、スペーサ６が脱落する心配がなく、またオープンフランジ構造部分でも固定用フランジ３、１０の変形の心配もない。
【００１５】
一方、図５（ａ）に示すように本体部２を取付板７の奥側に取り付ける場合には、図３に示すように取付板１１にファン用貫通孔１１ａを設けるとともに、ファン固定用のねじ孔１１ｂを設ける。そして、固定用フランジ３を外側にして固定用フランジ１０及び本体部２をリブフランジ構造部分を含めてファン用貫通孔１１ａに貫通させ、取付板１１の外側にオープンフランジ構造部分の固定用フランジ３を接触させ、固定用フランジ３に外側から貫通させたねじをファン固定用のねじ孔１１ｂに締め付け、軸流ファンモータのオープンフランジ構造部分を取付板１１に固定する。
【００１６】
実施最良形態２においても、軸流ファンモータを取付板７の外側に取り付ける場合には、リブフランジ構造部分あるいはオープンフランジ構造部分あるいはこの両方の部分を用いて取付板７に取り付け、本体部２を取付板７の奥側に取り付ける場合には、取付板１１のファン用貫通孔１１ａにリブフランジ構造部分を貫通させ、オープンフランジ構造部分を用いて取付板７に取り付けており、いずれの取付構造の場合にも同一のフランジ構造により対応することができ、２種類の構造のものを用意する必要がない。又、実施最良形態２の軸流ファンモータは４箇所での取付も可能であるので、比較的大形の軸流ファンモータに適用することができ、耐振動性にも優れている。
【図面の簡単な説明】
【００１７】
【図１】この発明の実施最良形態１による軸流ファンモータの斜視図である。
【図２】実施最良形態２による軸流ファンモータの斜視図である。
【図３】実施最良形態２による取付板の正面図である。
【図４】従来の軸流ファンモータの斜視図である。
【図５】従来の軸流ファンモータの取付板への取付構造を示す側面図である。
【符号の説明】
【００１８】
２…本体部
３，４，１０…固定用フランジ
６…スペーサ
７，１１…取付板
７ａ，１１ｂ…ねじ孔
１１ａ…ファン用貫通孔
【図１】
2008169716.tif 000003
【図２】
2008169716.tif 000004
【図３】
2008169716.tif 000005
【図４】
2008169716.tif 000006
【図５】
2008169716.tif 000007